(57)【特許請求の範囲】
【請求項１】
地面に載置又は前記地面に介在物を介して設置されたコンテナと、
前記地面に固定された複数の支柱とを備え、
複数の前記支柱は前記コンテナの外側の側面に沿い、前記支柱と前記コンテナとは固定され、
前記固定は、前記支柱に溶接等により一体的に設けた支柱側接続片の開口部と前記コンテナに溶接等により一体的に設けたコンテナ側接続片の開口部に通したボルトにナットを締め付けたものである
ことを特徴とするコンテナ装置。
【請求項２】
地面に載置又は前記地面に介在物を介して設置されたコンテナと、
このコンテナの上に載置された上コンテナと、
前記地面に固定され、前記コンテナ及び前記上コンテナの外側の側面に沿って設けられた複数の支柱とを備え、
前記コンテナと前記上コンテナは、前記複数の支柱を共用して接続され、
前記接続は、前記支柱に溶接等により一体的に設けた支柱側接続片の開口部と前記コンテナに溶接等により一体的に設けたコンテナ側接続片の開口部に通したボルトにナットを締め付けたものと、前記支柱に溶接等により一体的に設けた上支柱側接続片の開口部と前記上コンテナに溶接等により一体的に設けた上コンテナ側接続片の開口部に通した上ボルトに上ナットを締め付けたものとである
ことを特徴とするコンテナ装置。
【請求項３】
地面に載置又は前記地面に介在物を介して設置された複数のコンテナと、
前記地面に固定され、前記コンテナの外側の側面に沿って設けられた複数の支柱とを備え、
平面視、前記複数のコンテナの内、隣接する一方の前記コンテナと隣接する他方の前記コンテナとは、前記支柱を共用して接続され、
前記接続は、前記支柱に溶接等により一体的に設けた支柱側接続片の開口部と一方の前記コンテナに溶接等により一体的に設けたコンテナ側接続片の開口部に通した一方のボルトに一方のナットを締め付けたものと、前記支柱に溶接等により一体的に設けた他方の支柱側接続片の開口部と他方の前記コンテナに溶接等により一体的に設けた他方のコンテナ側接続片の開口部に通した他方のボルトに他方のナットを締め付けたものとである
ことを特徴とするコンテナ装置。
【請求項４】
正面視、複数の支柱は、上コンテナの左に位置する左支柱であり、前記上コンテナの右に位置する右支柱であり、
前記左支柱と前記右支柱とは、梁で接続されている
ことを特徴とする請求項２記載のコンテナ装置。
【請求項５】
コンテナを傾斜した地面に設置されるコンテナ装置であって、
前記地面に固定された複数の支柱とを備え、
複数の前記支柱は前記コンテナの外側の側面に沿い、前記支柱と前記コンテナとは前記コンテナが水平になるように固定され、
前記固定は、前記支柱に溶接等により一体的に設けた支柱側接続片の開口部と前記コンテナに溶接等により一体的に設けたコンテナ側接続片の開口部に通したボルトにナットを締め付けたものである
ことを特徴とするコンテナ装置。
【請求項６】
平面視、上コンテナとコンテナが交差し、この交差した部分は、Ｃ１、Ｃ２、Ｃ３、Ｃ４であり、
複数の支柱は、少なくとも、第１、第２、第３、第４の支柱を有し、
前記Ｃ１が前記第１の支柱に、
前記Ｃ２が前記第２の支柱に、
前記Ｃ３が前記第３の支柱に、
前記Ｃ４が前記第４の支柱に、
それぞれ対向している
ことを特徴とする請求項２記載のコンテナ装置。
【請求項７】
平面視、複数のコンテナは、前記コンテナの短辺が多角形形状に配置されている
ことを特徴とする請求項３記載のコンテナ装置。
【発明の詳細な説明】
【技術分野】
【０００１】
本発明は、コンテナ装置に係り、特に、強度向上を図ることができるコンテナ装置に関する。
【背景技術】
【０００２】
従来、コンテナをコンテナ固定部材を介して地面に対して固定している（例えば、特許文献参照）。
このコンテナを固定する固定部材は、貫通孔を有する板状部材と、貫通孔を通過するアンカーボルトと、アンカーボルトと板状部材とを締結するナットとを備えている。板状部材は、コンテナを構成する支柱のベースプレートｂに配置され、アンカーボルトの一部は、土台に埋め込まれており、アンカーボルトに通されたナットは、板状部材を介して、支柱のベースプレートを土台に固定するようにしている。
【先行技術文献】
【特許文献】
【０００３】
登録実用新案第３２１０４５３号公報 
【発明の概要】
【発明が解決しようとする課題】
【０００４】
ところが、地震による横揺れが生じた場合、コンテナの四隅に設けた固定部材に集中的に荷重を受け、損傷しやすいという問題点が生じた。
【０００５】
本発明は、上記問題点を除去するようにしたコンテナ装置を提供することを目的とする。
【課題を解決するための手段】
【０００６】
請求項１記載のコンテナ装置は、地面に載置又は前記地面に介在物を介して設置されたコンテナと、前記地面に固定された複数の支柱とを備え、複数の前記支柱は前記コンテナの外側の側面に沿い、前記支柱と前記コンテナとは固定され、前記固定は、前記支柱に溶接等により一体的に設けた支柱側接続片の開口部と前記コンテナに溶接等により一体的に設けたコンテナ側接続片の開口部に通したボルトにナットを締め付けたものである。
【０００７】
また、請求項２記載のコンテナ装置は、地面に載置又は前記地面に介在物を介して設置されたコンテナと、このコンテナの上に載置された上コンテナと、前記地面に固定され、前記コンテナ及び前記上コンテナの外側の側面に沿って設けられた複数の支柱とを備え、前記コンテナと前記上コンテナは、前記複数の支柱を共用して接続され、前記接続は、前記支柱に溶接等により一体的に設けた支柱側接続片の開口部と前記コンテナに溶接等により一体的に設けたコンテナ側接続片の開口部に通したボルトにナットを締め付けたものと、前記支柱に溶接等により一体的に設けた上支柱側接続片の開口部と前記上コンテナに溶接等により一体的に設けた上コンテナ側接続片の開口部に通した上ボルトに上ナットを締め付けたものとである。
【０００８】
また、請求項３記載のコンテナ装置は、地面に載置又は前記地面に介在物を介して設置された複数のコンテナと、前記地面に固定され、前記コンテナの外側の側面に沿って設けられた複数の支柱とを備え、平面視、前記複数のコンテナの内、隣接する一方の前記コンテナと隣接する他方の前記コンテナとは、前記支柱を共用して接続され、前記接続は、前記支柱に溶接等により一体的に設けた支柱側接続片の開口部と一方の前記コンテナに溶接等により一体的に設けたコンテナ側接続片の開口部に通した一方のボルトに一方のナットを締め付けたものと、前記支柱に溶接等により一体的に設けた他方の支柱側接続片の開口部と他方の前記コンテナに溶接等により一体的に設けた他方のコンテナ側接続片の開口部に通した他方のボルトに他方のナットを締め付けたものとである。
【０００９】
また、請求項４記載のコンテナ装置は、請求項２記載のコンテナ装置において、正面視、複数の支柱は、上コンテナの左に位置する左支柱であり、前記上コンテナの右に位置する右支柱であり、 前記左支柱と前記右支柱とは、梁で接続されているものである。
【００１０】
また、請求項５記載のコンテナ装置は、コンテナを傾斜した地面に設置されるコンテナ装置であって、前記地面に固定された複数の支柱とを備え、複数の前記支柱は前記コンテナの外側の側面に沿い、前記支柱と前記コンテナとは前記コンテナが水平になるように固定され、前記固定は、前記支柱に溶接等により一体的に設けた支柱側接続片の開口部と前記コンテナに溶接等により一体的に設けたコンテナ側接続片の開口部に通したボルトにナットを締め付けたものである。
【００１１】
また、請求項６記載のコンテナ装置は、請求項２記載のコンテナ装置において、平面視、上コンテナとコンテナが交差し、この交差した部分は、Ｃ１、Ｃ２、Ｃ３、Ｃ４であり、複数の支柱は、少なくとも、第１、第２、第３、第４の支柱を有し、前記Ｃ１が前記第１の支柱に、前記Ｃ２が前記第２の支柱に、前記Ｃ３が前記第３の支柱に、前記Ｃ４が前記第４の支柱に、それぞれ対向しているものである。
【００１２】
また、請求項７記載のコンテナ装置は、請求項３記載のコンテナ装置において、平面視、複数のコンテナは、前記コンテナの短辺が多角形形状に配置されているものである。
【発明の効果】
【００１３】
請求項１記載のコンテナ装置によれば、複数の支柱はコンテナと地面に固定されているため、地震による横揺れによる移動を阻止すると共に、コンテナ装置に係る荷重の一部を受けることができ、コンテナ装置の強度向上をも図ることができる。
【００１４】
また、請求項２記載のコンテナ装置によれば、複数の支柱はコンテナと地面に固定されているため、地震による横揺れによるコンテナの移動を阻止、特に、上コンテナがコンテナに対してのずれを防止すると共に、コンテナ装置に係る荷重の一部を受けることができ、コンテナ装置の強度向上をも図ることができ、しかも、コンテナと上コンテナは、複数の支柱を共用して接続されているため、コンテナ装置を効率良く形成することができる。
【００１５】
また、請求項３記載のコンテナ装置によれば、複数の支柱はコンテナと地面に固定されているため、地震による横揺れによるコンテナの移動を阻止、特に、隣接するコンテナ同士のずれを防止すると共に、コンテナ装置に係る荷重の一部を受けることができ、コンテナ装置の強度向上をも図ることができ、しかも、隣接するコンテナは、複数の支柱を共用して接続されているため、コンテナ装置を効率良く形成することができる。
【００１６】
また、請求項４記載のコンテナ装置によれば、上述した請求項１又は請求項２記載の発明の効果に加え、複数の支柱は、平面視、コンテナを囲むように配置されているため、コンテナ装置に係る荷重を複数の支柱に分散して受け、コンテナ装置の強度向上を図ることができる。
【００１７】
また、請求項５記載のコンテナ装置によれば、複数の支柱は、地震による横揺れによるコンテナの移動を阻止すると共に、コンテナ装置に係る荷重の一部を受け、コンテナ装置の強度向上をも図ることができ、しかも、傾斜した地面を水平にすることなく、コンテナ装置を設置することができる。
【図面の簡単な説明】
【００２０】
【図１】図１は、本願発明の一実施例のコンテナ装置の概略的正面図である。
【図２】図２は、図１の概略的平面図である。
【図３】図３は、図１の支柱の支柱側接続片の開口部とコンテナ側接続片の開口部とを合わせる前の状態の概略的平面図である。
【図４】図４は、図３の支柱の支柱側接続片の開口部とコンテナ側接続片の開口部とを合わせた状態の概略的平面図である。
【図５】図５は、図１のコンテナ装置と異なる他の実施例のコンテナ装置の概略的正面図である。
【図６】図６は、図５のコンテナ装置と異なる他の実施例のコンテナ装置の概略的正面図である。
【図７】図７（ａ）は、図６のコンテナ装置と異なる他の実施例のコンテナ装置の概略的平面図であり、図７（ｂ）は、図７（ａ）の支柱の支柱側接続片の開口部と隣接するコンテナ側接続片の開口部とを合わせる前の状態の概略的平面図であり、図７（ｃ）は、図７（ｂ）の支柱の支柱側接続片の開口部と隣接するコンテナ側接続片の開口部とを合わせた状態の概略的平面図である。
【図８】図８は、図６のコンテナ装置と異なる他の実施例のコンテナ装置の概略的斜視図である。
【図９】図９（ａ）は、図８のコンテナ装置の概略的平面図であり、図９（ｂ）は、図９（ａ）の支柱の支柱側接続片の開口部と隣接するコンテナ側接続片の開口部とを合わせる前の状態の概略的平面図であり、図９（ｃ）は、図９（ｂ）の支柱の支柱側接続片の開口部と隣接するコンテナ側接続片の開口部とを合わせた状態の概略的平面図である。
【図１０】図１０（ａ）は、図８のコンテナ装置と異なる他の実施例のコンテナ装置の概略的平面図であり、図１０（ｂ）は、図１０（ａ）の支柱の支柱側接続片の開口部と隣接するコンテナ側接続片の開口部とを合わせる前の状態の概略的平面図であり、図１０（ｃ）は、図１０（ｂ）の支柱の支柱側接続片の開口部と隣接するコンテナ側接続片の開口部とを合わせた状態の概略的平面図である。
【発明を実施するための形態】
【００２１】
本発明の一実施例のコンテナ装置を図面（図１乃至図５）を参照して説明する。
図１に示すＣはコンテナ装置で、コンテナ装置Ｃは、地面１に介在物（例えば、390mm×190mm×100mmの大きさの市販のコンクリートブロック）２を介して設置されたコンテナ３と、地面１に固定された複数の支柱４とを備え、複数の支柱４はコンテナ３の側面に沿い、支柱４とコンテナ３とは固定されている。
【００２２】
なお、コンテナ３は、例えば、中古の２０フィートドライコンテナで、外寸法 (長さ×幅×高さ)6,058×2,438×2,591mm、内寸法 (長さ×幅×高さ)5,899×2,352×2,382mm、自重 約2.3トンのもので,鋼鉄・アルミニウムなどで製造された箱形状で、その中に輸送物を積み込み航空機・鉄道・トラック・船舶などで輸送を行い、直方体の形状である。
【００２３】
また、支柱４と地面１との固定は、例えば、地面１に穴を掘って凹所１１を形成し、凹所１１に支柱４を立ててコンクリートで固定する。
【００２４】
また、支柱４とコンテナ３との固定は、例えば、支柱４とコンテナ３とを溶接により固定しても良いし、図３、図４に示すように、支柱４に溶接等により一体的に設けた支柱側接続片４１の開口部４１ａとコンテナ３に溶接等により一体的に設けたコンテナ側接続片３１の開口部３１ａとを合わせ、開口部４１ａと開口部３１ａにボルトＢを通し、図示しないナットをボルトＢに締め付けて固定する。
【００２５】
また、本実施例のコンテナ装置Ｃは、コンテナ３を介在物２を介して地面１に載置したが、本願発明は、これに限らず、コンテナ３を介在物２を介せず直接地面１に載置するようにしても良い。なお、図１に示す７は、ドアである。特に、コンテナ３の側面に図示しない窓を側面全体を開口した場合の強度補強に複数の支柱４が有効である。
【００２６】
上述した実施例のコンテナ装置Ｃによれば、複数の支柱４はコンテナ３と地面１に固定されているため、地震による横揺れによるコンテナ３の移動を阻止すると共に、コンテナ装置Ｃに係る荷重の一部を受けることができ、コンテナ装置Ｃの強度向上をも図ることができる。
【００２７】
なお、複数の支柱４（例えば、高さ2500mmの100×100×4.5mmの角柱を８本）は、平面視、コンテナ３を囲むように配置されている（図２参照）。そのため、コンテナ装置Ｃに係る荷重を複数の支柱４に分散して受け、コンテナ装置Ｃの強度向上を図ることができる。
【００２８】
コンテナ３を複数の支柱４を介して地面１に固定するコンテナ装置Ｃは、特に、傾斜した地面１’に設置される場合に有用である。
即ち、コンテナ装置Ｃは、図５に示すように、コンテナ３を傾斜した地面１’に設置されるコンテナ装置Ｃであって、地面１’に固定された複数の支柱４とを備え、複数の支柱４はコンテナ３の側面に沿い、支柱４とコンテナ３とはコンテナ３が水平になるように固定されているものである。
このコンテナ装置Ｃによれば、複数の支柱４は、地震による横揺れによるコンテナ３の移動を阻止すると共に、コンテナ装置Ｃに係る荷重の一部を受け、コンテナ装置Ｃの強度向上をも図ることができ、しかも、傾斜した地面１’を水平にすることなく、コンテナ装置Ｃを設置することができる。
【００２９】
上述した実施例は、コンテナ３を１個地面１に載置したものであるが、コンテナ３を複数積層した例について、以下述べる（図６）。
コンテナ装置Ｃは、地面１に介在物（例えば、390mm×190mm×100mmの大きさの市販のコンクリートブロック）２を介して設置されたコンテナ３と、このコンテナ３の上に載置された上コンテナ３’と、コンテナ３及び上コンテナ３’の側面に沿って設けられた複数の支柱４とを備え、複数の支柱４はコンテナ３及び上コンテナ３’の側面に沿い、支柱４とコンテナ３とは固定されている。
なお、図６では、コンテナ３と上コンテナ３’との境部に梁２本設けられているが、梁は１本でも良い。
【００３０】
また、支柱４と地面１との固定は、上述の実施例と同様に、例えば、地面１に穴を掘って凹所１１を形成し、凹所１１に支柱４を立ててコンクリートで固定する。
【００３１】
また、支柱４とコンテナ３との固定は、例えば、支柱４とコンテナ３とを溶接により固定しても良いし、図３及び図４に示すように、支柱４に溶接等により一体的に設けた支柱側接続片４１の開口部４１ａとコンテナ３に溶接等により一体的に設けたコンテナ側接続片３１の開口部３１ａとを合わせ、開口部４１ａと開口部３１ａにボルトＢを通し、図示しないナットをボルトＢに締め付けて固定する。
支柱４と上コンテナ３’との固定は、例えば、支柱４とコンテナ３とを溶接により固定しても良いし、図３、図４に示すように、支柱４に溶接等により一体的に設けた支柱側接続片４１の開口部４１ａと上コンテナ３’に溶接等により一体的に設けた上コンテナ側接続片３１’の開口部３１ａ’とを合わせ、開口部４１ａと開口部３１ａ’にボルトＢを通し、図示しないナットをボルトＢに締め付けて固定する。
【００３２】
また、本実施例のコンテナ装置Ｃは、コンテナ３を介在物２を介して地面１に載置したが、本願発明は、これに限らず、コンテナ３を介在物２を介せず直接地面に載置するようにしても良い。
【００３３】
この実施例のコンテナ装置Ｃによれば、複数の支柱４はコンテナ３と地面１に固定されているため、地震による横揺れによるコンテナ３の移動を阻止、特に、上コンテナ３’がコンテナ３に対してのずれを防止すると共に、コンテナ装置Ｃに係る荷重の一部を受けることができ、コンテナ装置Ｃの強度向上をも図ることができる。
また、複数の支柱４の内、隣接する支柱４の一方の支柱４’と他方の支柱４”との間に筋交い５を設けている。
そのため、隣接する支柱４’、４”を介してコンテナ装置Ｃの強度向上を図ることが
できる。
なお、６は、傾斜した屋根で、屋根６は、図３、図４に示すように、支柱４に溶接等により一体的に設けた支柱側接続片４１の開口部４１ａと屋根６に溶接等により一体的に設けた屋根側接続片６１の開口部６１ａとを合わせ、開口部４１ａと開口部６１ａボルトＢを通し、図示しないナットをボルトＢに締め付けて固定する。図６に示す８は、窓である。
【００３４】
上述した実施例にあっては、平面的にコンテナ全体が重なるように積層したが（図６）、本願発明は、これに限らず、図８及び図９に示すように、平面的にコンテナの一部が重なるように積層しても良い。
即ち、係る場合のコンテナ装置Ｃは、地面１に載置又は地面１に介在物を介して設置されたコンテナ３と、このコンテナ３の上に載置された上コンテナ３’と、地面１に固定され、コンテナ３及び上コンテナ３’の側面に沿って設けられた複数の支柱４とを備え、コンテナ３と上コンテナ３’は、複数の支柱４を共用して接続されている。
支柱４とコンテナ３と上コンテナ３’との固定は、例えば、支柱４とコンテナ３と上コンテナ３’とを溶接により固定しても良いし、図９に示すように、支柱４に溶接等により一体的に設けた支柱側接続片４１の開口部４１ａとコンテナ３に溶接等により一体的に設けたコンテナ側接続片３１の開口部３１ａとを合わせ、開口部４１ａと開口部３１ａにボルトＢを通し、図示しないナットをボルトＢに締め付けて固定し、支柱４に溶接等により一体的に設けた支柱側接続片４１’の開口部４１ａ’と上コンテナ３’に溶接等により一体的に設けたコンテナ側接続片３１’の開口部３１ａ’とを合わせ、開口部４１ａ’と開口部３１ａ’にボルトＢを通し、図示しないナットをボルトＢに締め付けて固定する。
そのため、複数の支柱４はコンテナ３と地面１に固定されているため、地震による横揺れによるコンテナ３の移動を阻止、特に、上コンテナ３’がコンテナ３に対してのずれを防止すると共に、コンテナ装置Ｃに係る荷重の一部を受けることができ、コンテナ装置Ｃの強度向上をも図ることができ、しかも、コンテナ３と上コンテナ３’は、複数の支柱４を共用して接続されているため、コンテナ装置Ｃを効率良く形成することができる。
【００３５】
上述した図１乃至図５記載の実施例にあっては、コンテナ３を平面的に１個設けたが、図７、図１０に示すように、コンテナ３を平面的に複数設けるようにしても良い。
即ち、係る場合のコンテナ装置Ｃは、地面１に載置又は地面１に介在物を介して設置された複数のコンテナ３と、地面１に固定され、コンテナ３の側面に沿って設けられた複数の支柱４とを備え、複数のコンテナ３の内、隣接する一方のコンテナ３（３’）と隣接する他方のコンテナ３（３”）とは、支柱４を共用して接続されている。
支柱４と隣接する一方のコンテナ３（３’）と隣接する他方のコンテナ３（３”）との固定は、例えば、支柱４とコンテナ３（３’）とコンテナとを溶接により固定しても良いし、図７、図１０に示すように、支柱４に溶接等により一体的に設けた支柱側接続片４１の開口部４１ａとコンテナ３（３’）に溶接等により一体的に設けたコンテナ側接続片３１の開口部３１ａとを合わせ、開口部４１ａと開口部３１ａにボルトＢを通し、図示しないナットをボルトＢに締め付けて固定し、支柱４に溶接等により一体的に設けた支柱側接続片４１’の開口部４１ａ’とコンテナ３（３”）に溶接等により一体的に設けたコンテナ側接続片３１’の開口部３１ａ’とを合わせ、開口部４１ａ’と開口部３１ａ’にボルトＢを通し、図示しないナットをボルトＢに締め付けて固定する。
そのため、複数の支柱４はコンテナ３と地面１に固定されているため、地震による横揺れによるコンテナ３の移動を阻止、特に、隣接するコンテナ３（３’），３（３”）同士のずれを防止すると共に、コンテナ装置Ｃに係る荷重の一部を受けることができ、コンテナ装置Ｃの強度向上をも図ることができ、しかも、隣接するコンテナ３（３’），３（３”）は、複数の支柱４を共用して接続されているため、コンテナ装置Ｃを効率良く形成することができる。
【００３６】
次に、コンテナ装置の設置方法について、説明する。
地面１又は地面１に介在物２を介してコンテナ３を設置し、設置されたコンテナ３の側面に沿って先端が地中の凹所１１に至るように複数の支柱４を配置し、複数の支柱４とコンテナ３とを溶接又は接続部材（上述のコンテナ側接続片３１、支柱側接続片４１をボルトＢ、図示しないナットにより連結する。）を介して連結するものである。溶接又は連結する前又は溶接又は連結した後、凹所１１にコンクリートの流動物を流し込んで、コンテナ装置Ｃを設置することができる。そのため、複数の支柱４の地面１への固定が容易で施工し易い。
【００３７】
本願発明のコンテナ装置の設置方法は、上述したコンテナ装置の設置方法に限らず、例えば、以下の方法でも良い。
即ち、上述の実施例とは、逆に、複数の支柱４の先端が地面１に固定されると共に、複数の支柱４は囲むように配置され、囲むように配置された複数の支柱４の内方に配置された介在物２に上方から図示しないクレーンを使ってコンテナＣを載置し、載置した後、コンテナＣと複数の支柱４を溶接又は接続部材（上述のコンテナ側接続片３１、支柱側接続片４１をボルトＢ、図示しないナットにより連結する。）を介して連結する。
このコンテナ装置の設置方法によれば、複数の支柱４の先端が地面１に固定されると共に、複数の支柱４を囲む作業をコンテナ３の設置前に予めするため、設置現場での作業時間を短くすることができる。
【符号の説明】
【００３８】
Ｃ        コンテナ装置
１        地面
２        介在物
３        コンテナ
４        支柱
【要約】
【課題】
本発明の目的は、強度向上を図ることができるコンテナ装置を提供するものである。
【解決手段】
コンテナ装置Ｃは、地面１に載置又は地面１に介在物２を介して設置されたコンテナ３と、地面１に固定された複数の支柱４とを備え、複数の支柱４はコンテナ３の側面に沿い、支柱４とコンテナ３とは固定されているものである。
【選択図】図１【図１】
0006705965.tif 000002
【図２】
0006705965.tif 000003
【図３】
0006705965.tif 000004
【図４】
0006705965.tif 000005
【図５】
0006705965.tif 000006
【図６】
0006705965.tif 000007
【図７】
0006705965.tif 000008
【図８】
0006705965.tif 000009
【図９】
0006705965.tif 000010
【図１０】
0006705965.tif 000011